(57)【特許請求の範囲】
【請求項１】
平常時に駐輪場として使用され、災害時にトイレとして使用される災害用トイレユニットであって、
駐輪場の前方を遮蔽する前壁と、
前記駐輪場の両側方を遮蔽する側壁と、
屋根と、
前記災害用トイレユニット内の床面に前記前壁に沿って並んで配設され、平常時には蓋がされ、災害時には便座が設置される排泄穴と、
平常時には前記前壁に立て掛けて収納され、災害時には並んで設置された前記便座同士を仕切る仕切り板と、
災害時に前記屋根と床面との間に立てられ、前記仕切り板を支持する支持柱と、
前記床面に設けられ、災害時に前記支持柱の下端を固定する柱固定部と、
災害時に前記便座の入り口に設けられる開閉自在なカーテンとを備えることを特徴とする災害用トイレユニット。
【請求項２】
前記柱固定部が、床面に設けられた雌ねじと、当該雌ねじに螺入されるボルトとからなり、災害時には、当該ボルトによって前記支持柱を固定することを特徴とする請求項１記載の災害用トイレユニット。
【請求項３】
前記カーテンが、水平方向に折り畳んで開閉するアコーディオンカーテンであることを特徴とする請求項１又は請求項２記載の災害用トイレユニット。
【発明の詳細な説明】
【技術分野】
【０００１】
本発明は、平常時に駐輪場として使用され、災害時にトイレとして使用される災害用トイレユニットに関し、特に簡単に組み立てることができ、かつ、強固な災害用トイレユニットに関する。
【背景技術】
【０００２】
大地震等が発生し、建屋内のトイレが使用できない場合に備え、災害時に緊急に使用できる災害用トイレが望まれている。このトイレとしては、平常時には他の用途として使用されるが、災害時に簡単に組み立てることができ、かつ、強固なこと等が必要である。
【０００３】
そのような災害時用のトイレとして、例えば、平常時は倉庫として用い、災害時にトイレとして使用する倉庫が提案されている（特許文献１参照）。
しかしながら、特許文献１の倉庫では、トイレ間を仕切る仕切り壁やドアとなるパネルが、その１辺で壁に蝶番で取り付けられているだけなので、強度的に不充分であり、安心して使用することができない。また、倉庫内に保管していた物品の処置にも困るという不都合がある。
【先行技術文献】
【特許文献】
【０００４】
【特許文献１】特開２０１３−２４５４５５号公報
【発明の概要】
【発明が解決しようとする課題】
【０００５】
本発明は、上記したような従来技術の問題点を解決すべくなされたものであって、簡単に組み立てることができ、かつ、強固な災害用トイレユニットを提供するものである。
【課題を解決するための手段】
【０００６】
請求項１に係る発明は、平常時に駐輪場として使用され、災害時にトイレとして使用される災害用トイレユニットであって、駐輪場の前方を遮蔽する前壁と、前記駐輪場の両側方を遮蔽する側壁と、屋根と、前記災害用トイレユニット内の床面に前記前壁に沿って並んで配設され、平常時には蓋がされ、災害時には便座が設置される排泄穴と、平常時には前記前壁に立て掛けて収納され、災害時には並んで設置された前記便座同士を仕切る仕切り板と、災害時に前記屋根と床面との間に立てられ、前記仕切り板を支持する支持柱と、前記床面に設けられ、災害時に前記支持柱の下端を固定する柱固定部と、災害時に前記便座の入り口に設けられる開閉自在なカーテンとを備えることを特徴とする災害用トイレユニットに関する。
【０００７】
請求項２に係る発明は、前記柱固定部が、床面に設けられた雌ねじと、当該雌ねじに螺入されるボルトとからなり、災害時には、当該ボルトによって前記支持柱を固定することを特徴とする請求項１記載の災害用トイレユニットに関する。
【０００８】
請求項３に係る発明は、前記カーテンが、水平方向に折り畳んで開閉するアコーディオンカーテンであることを特徴とする請求項１又は請求項２記載の災害用トイレユニットに関する。
【発明の効果】
【０００９】
請求項１に係る発明の災害用トイレユニットによれば、予め設置されている駐輪場に支持柱、仕切り板、便座等を取り付けるだけなので、簡単に組み立てることができる。また、屋根と床面との間に立てられる支持柱に仕切り板を取り付けるので、支持柱及び仕切り板が倒壊するおそれが少ない。このことにより、災害用トイレユニットが強固である。
【００１０】
請求項２に係る発明の災害用トイレユニットによれば、支持柱の下端がボルトによって、床面に固定されるので、支持柱の下端の位置が変動するおそれがすくない。このことにより、災害用トイレユニットが更に強固になる。
【００１１】
請求項３に係る発明の災害用トイレユニットによれば、カーテンがアコーディオンカーテンであるので、簡単に取り付けることができる。また、風等によって開閉しないので、使用時に外部に見えるおそれが少ない。
【図面の簡単な説明】
【００１２】
【図１】本実施形態に係る災害用トイレユニットが平常時に用いられる駐輪場としての概略外観図である。
【図２】同災害用トイレユニットで、手前の側壁を除去した概略外観図である。
【図３】同災害用トイレユニットで、災害時に支持柱と便座とを取り付けたときの概略外観図である。
【図４】同災害用トイレユニットで、災害時に仕切り板を取り付けたときの概略外観図である。
【図５】（ａ）は同災害用トイレユニットの桟に取り付けられた係止片の概略側面図であり、（ｂ）は支持柱が固定された同係止片の概略側面図である。
【図６】（ａ）は同災害用トイレユニットの柱固定部の概略正面図であり、（ｂ）は支持柱が取り付けられた同柱固定部の概略正面図である。
【図７】同災害用トイレユニットで、災害時にカーテンを取り付けたときの概略外観図である。
【図８】他の実施形態の災害用トイレユニットでの支持柱を取り付ける構造を示す図であり、（ａ）は桟と柱固定部の概略図であり、（ｂ）（ｃ）は桟と柱固定部に支持柱を取り付ける方法を示す図である。
【発明を実施するための形態】
【００１３】
以下、本発明に係る災害用トイレユニットの好適な実施形態について、図面を参照しながら説明する。
図１は、平常時に駐輪場として用いられている災害用トイレユニットの概略外観図であり、図２は、災害用トイレユニットの中が見易いように、図１における手前の側壁２を除去した図である。以下、図３、４、７においても、手前の側壁２を除去して示している。
災害用トイレユニットは、平常時に駐輪場として使用され、災害時にトイレとして使用される災害用トイレユニットであって、駐輪場の前方を遮蔽する前壁１と、駐輪場の両側方を遮蔽する側壁２と、屋根３と、災害用トイレユニット内の床面Ｆに前壁１に沿って並んで配設され、平常時には蓋４１がされ、災害時には便座４２が設置される排泄穴４と、平常時には前壁１に立て掛けて収納され、災害時には並んで設置された便座４２同士を仕切る仕切り板５と、災害時に屋根３と床面Ｆとの間に立てられ、仕切り板５を支持する支持柱６と、床面Ｆに設けられ、災害時に支持柱６の下端を固定する柱固定部７と、災害時に便座４２の入り口に設けられる開閉自在なカーテン８とを備える。
【００１４】
前壁１と側壁２とは、外部からトイレ内が見えないような高さになっている。
排泄穴４は、排泄物を受ける穴であって、この穴の中に排泄物容器をセットしてもよいし、穴の底を下水管に連結させてもよい。
排泄穴４は、通常時には蓋４１がされ、災害時には便座４２が設けられる（図３参照）。便座４２は洋式便座でも和式便座でも構わない。
仕切り板５は、平常時には前壁１に立て掛けて収納され、災害時には並んで設置された便座４２同士を仕切る（図４参照）。前壁１への立て掛けは、ねじ止めで行ってもよいし、前壁１にフック等によって係合するようにしてもよい。災害時には、仕切り板５の一辺側が前壁１に取り付けられ、他辺側が支持柱６に取り付けられる。前壁１及び支持柱６への取り付けは、ねじ止めで行ってもよいし、フック等によって係合するようにしてもよい。
また、仕切り板５の一辺側が蝶番によって前壁１に取り付けられた構造とし、平常時には仕切り板５を前壁１側に閉じて収納し、災害時には仕切り板５を開いて支持柱６に取り付けるようにしてもよい。災害時の仕切り板５の設置が容易になる。
【００１５】
屋根３は、屋根本体３１と、屋根本体３１を下から支えると共に支持柱６を取り付けられる桟３２とを有している。
桟３２は、支持柱６をねじ止めするための係止片３３を側面に有しており、係止片３３にはボルトを通す挿通穴３４が設けられている（図５参照）。
床面Ｆには、支持柱６の下端を固定するための柱固定部７が設けられている（図６参照）。柱固定部７は、例えば、床面Ｆに設けられた雌ねじ７１と、その雌ねじに螺入されるボルト７２である。雌ねじ７１には、いわゆる雌ねじアンカー等を用いればよい。ボルト７２は、通常時に人が躓かないようにナベ頭のものが望ましい。柱固定部７は、通常時にはボルト７２のみが螺入されており、災害時にはボルト７２で支持柱６の下端が固定される。
支持柱６は、災害時に仕切り板５を固定するためのものであり、災害時に屋根３と床面Ｆとの間に立てられる。支持柱６の上端部には雌ねじが設けられており、桟３２の係止片３３とボルト３５によって固定される（図５参照）。
また、支持柱６の下端部には、Ｌ字形状の係止片６１が接合されており、係止片６１には柱固定部７のボルトを通す挿通穴６２が設けられている（図６参照）。
【００１６】
カーテン８は、便座４２の入口に設けられるもので、支持柱６間、又は支持柱６と常設されている柱９との間に取り付けられる（図７参照）。
カーテン８は、例えば水平方向に折り畳んで開閉するアコーディオンカーテンであり、一端側が柱にねじ止めやマグネット等によって固定され、他端側が柱にマグネットやフックによって開閉自在に固定される。
なお、便座４２、支持柱６、カーテン８は、平常時には、駐輪場とは別に設けた倉庫等に収納しておけばよい。
【００１７】
＜組み立て方法＞
災害発生時の災害用トイレユニットの組み立ては下記のように行う。
（１）駐輪場内から自転車を撤去する（図１、図２参照）。
（２）桟３２と床面Ｆとの間に支持柱６を立て、支持柱６の上端をボルト３５によって桟３２の係止片３３に固定する（図３参照）。
（３）床面Ｆに設けられた柱固定部７の雌ねじ７１から常時螺入されているボルト７２をとり外す。
（４）支持柱６の下端部の係止片６１を柱固定部７に取り付け、ボルト７２で支持柱６を固定する。
（５）排泄穴４の蓋４１を取り外し、便座４２を取り付ける（図３参照）。
（６）仕切り板５を前壁１と支持柱６との間に取り付ける（図４参照）。なお、仕切り板５が蝶番によって前壁１に取り付けられた構造の場合には、前壁１側に閉じられた仕切り板５を回動させて開き、支持柱６に取り付ける。
（７）カーテン８を支持柱６間、又は支持柱６と柱９との間に取り付ける（図７参照）。
【００１８】
本実施形態の災害用トイレユニットによれば、平常時は駐輪場として使用することができ、災害時にトイレとして使用することができる。
更に本実施形態の災害用トイレユニットは、予め設置されている駐輪場に支持柱６、仕切り板５、便座４２等を取り付けるだけなので、簡単に組み立てることができる。また、屋根３と床面Ｆとの間に立てられる支持柱６に仕切り板５を取り付けるので、支持柱６及び仕切り板５が倒壊するおそれが少ない。また、支持柱６の下端がボルト７２によって床面Ｆに固定されるので、支持柱６の下端の位置が変動するおそれがすくない。このことにより、災害用トイレユニットが強固である。また、カーテン８がアコーディオンカーテンであるので簡単に取り付けることができ、風等によって開閉しないので使用時に外部に見えるおそれが少ない。
【００１９】
＜他の実施形態＞
例えば、支持柱６の取り付けを次のように行ってもよい（図８参照）。
桟３２又は屋根本体３１に支持柱６の上端を挿入する上穴３６を設け、床面Ｆに柱固定部７として支持柱６の下端を嵌合する下穴７３を設ける（図８（ａ）参照）。支持柱６を取り付けるときには、支持柱６の上端を上穴３６に挿入し（図８（ｂ）参照）、下端を下穴７３に挿入する（図８（ｃ）参照）。
このような構成にすることにより、支持柱６の設置をさらに簡単に行うことができる。
【産業上の利用可能性】
【００２０】
本発明は、災害発生時のトイレとして好適に使用される。
【符号の説明】
【００２１】
１      前壁
２      側壁
３      屋根
４      排泄穴
４１      蓋
４２      便座
５      仕切り板
６      支持柱
７      柱固定部
７１      雌ねじ
７２      ボルト
８      カーテン
Ｆ      床面
【図１】
0006660056.tif 000002
【図２】
0006660056.tif 000003
【図３】
0006660056.tif 000004
【図４】
0006660056.tif 000005
【図５】
0006660056.tif 000006
【図６】
0006660056.tif 000007
【図７】
0006660056.tif 000008
【図８】
0006660056.tif 000009